(57)【要約】ハイブリッド受信機（１４５）との接続を確立する方法および装置である。一つの実施形態において、ハイブリッド無線ハンドセット（１４５）は、アンテナを備えた無線インターフェースと；無線インターフェースを接続した無線電話通信モデムと；無線電話通信モデム、無線インターフェースに接続した無線ＩＰモデムと；無線電話通信モデムおよび無線ＩＰモデムに接続したオーディオインターフェースと；さらに、無線電話通信モデムおよび無線ＩＰモデムに接続したユーザインターフェースとを備えており；無線電話通信モデムが、第１通信ネットワーク（１１０）から接続通知を受信し、無線ＩＰモデムが第２通信ネットワーク（１０５）へ接続返信を送信する。
2006523967.tif 000002
【特許請求の範囲】
【請求項１】
ハイブリッド受信機との接続を確立する方法において；
第１通信プロトコルに従って第１通信ネットワークへ接続要求を送信し、上記接続要求が、第２通信プロトコルを使用して接続を確立するための送信側アドレス情報を含んでおり；さらに、
第２通信プロトコルと送信側アドレス情報とに従って、第２通信ネットワークから接続返信を受信する方法。
【請求項２】
さらに、第１通信ネットワークから第２通信ネットワークへ接続通知を送信する、請求項１に記載の方法。
【請求項３】
前記接続通知がテキストメッセージである、請求項２に記載の方法。
【請求項４】
前記接続通知が回路スイッチト・ボイスコール要求である、請求項２に記載の方法。
【請求項５】
無線ハンドセットが前記接続返信の受信を実行する、請求項１に記載の方法。
【請求項６】
前記無線ハンドセットが、無線電話通信モデムと無線ＩＰモデムを含んでいる、請求項５に記載の方法。
【請求項７】
前記無線電話通信モデムと前記無線ＩＰモデムが、１本のアンテナを備えたシングル無線インターフェースを共用している、請求項６に記載の方法。
【請求項８】
ネットワークサーバが前記接続要求の送信を実行する、請求項１に記載の方法。
【請求項９】
前記第１通信プロトコルが無線電話通信プロトコルである、請求項１に記載の方法。
【請求項１０】
前記第１通信プロトコルがＣＤＭＡプロトコルである、請求項９に記載の方法。
【請求項１１】
前記第２通信プロトコルが無線ＩＰプロトコルである、請求項１に記載の方法。
【請求項１２】
前記第２通信プロトコルが、ＩＥＥＥ８０２．１１に従ったプロトコルである、請求項１１に記載の方法。
【請求項１３】
ハイブリッド受信機との接続を確立する方法において、
第１通信プロトコルに従って第１通信ネットワークから接続通知を受信し、上記接続通知が、第２通信プロトコルを使用して接続を確立するために送信側アドレス情報を含んでおり；さらに、
第２通信プロトコルと送信側アドレス情報に従って、接続返信を第２通信ネットワークへ送信する方法。
【請求項１４】
無線ハンドセットが、前記接続通知の受信と、前記接続返信の送信を実行する、請求項１３に記載の方法。
【請求項１５】
前記無線ハンドセットが、無線電話通信モデムと無線ＩＰモデムを備えている、請求項１４に記載の方法。
【請求項１６】
前記無線電話通信モデムと前記無線ＩＰモデムが、１本のアンテナを備えたシングル無線インターフェースを共用している、請求項１５に記載の方法。
【請求項１７】
前記第１通信プロトコルが無線電話通信プロトコルである、請求項１３に記載の方法。
【請求項１８】
前記第１通信プロトコルがＣＤＭＡプロトコルである、請求項１７に記載の方法。
【請求項１９】
前記第２通信プロトコルが無線ＩＰプロトコルである、請求項１３に記載の方法。
【請求項２０】
前記第２通信プロトコルが、ＩＥＥＥ８０２．１１に従ったプロトコルである、請求項１９に記載の方法。
【請求項２１】
前記接続通知がテキストメッセージである、請求項１３に記載の方法。
【請求項２２】
前記接続通知が回路スイッチト・ボイスコール要求である、請求項１３に記載の方法。
【請求項２３】
ハイブリッド受信機との接続を確立するシステムにおいて；
第１通信プロトコルに従って第１通信ネットワークへ接続要求を送信する手段を備え、上記接続要求が、第２通信プロトコルを使用して接続を確立するために送信側アドレス情報を含んでおり；さらに、
第２通信プロトコルと送信側アドレス情報に従って、第２通信ネットワークから接続返信を受信する手段をさらに備えているシステム。
【請求項２４】
さらに、第１通信ネットワークから第２通信ネットワークへ接続通知を送信する手段を備える、請求項２３に記載のシステム。
【請求項２５】
接続要求を送信する前記手段と、接続返信を受信する前記手段が、無線電話通信モデムと無線ＩＰモデムを装備している、請求項２３に記載のシステム。
【請求項２６】
前記無線電話通信モデムがＣＤＭＡモデムであって；さらに、
前記無線ＩＰモデムが、ＩＥＥＥ８０２．１１に従って動作するモデムである、請求項２５に記載のシステム。
【請求項２７】
前記無線電話通信モデムと前記無線ＩＰモデムが、１本のアンテナを備えたシングル無線インターフェースを共用している、請求項２５に記載のシステム。
【請求項２８】
ハイブリッド受信機システムにおいて；
第１通信プロトコルに従って第１通信ネットワークから接続通知を受信する手段を備えており、上記接続通知が、第２通信プロトコルを使用して接続を確立するために、送信側アドレスを含んでおり；さらに、
第２通信プロトコルと送信側アドレス情報に従って、接続返信を第２通信ネットワークへ送信する手段をさらに備えているハイブリッド受信機システム。
【請求項２９】
前記接続通知を受信する手段と、前記接続返信を送信する手段とが、無線電話通信モデムと無線ＩＰモデムを備えている、請求項２８に記載のシステム。
【請求項３０】
前記無線電話通信モデムがＣＤＭＡモデムであって；さらに、
前記無線ＩＰモデムが、ＩＥＥＥ８０２．１１に従って動作するモデムである、請求項２９に記載のシステム。
【請求項３１】
前記無線電話通信モデムと前記無線ＩＰモデムが、１本のアンテナを備えたシングル無線インターフェースを共用している、請求項２９に記載のシステム。
【請求項３２】
ハイブリッド無線ハンドセットにおいて；
アンテナを備えた無線インターフェースと；
前記無線インターフェースを接続した無線電話通信モデムと；
前記無線電話通信モデムおよび前記無線インターフェースに接続した無線ＩＰモデムと；
前記無線電話通信モデムおよび前記無線ＩＰモデムに接続したオーディオインターフェースと；さらに、
前記無線電話通信モデムおよび前記無線ＩＰモデムに接続したユーザインターフェースとを備えており；
前記無線電話通信モデムが、第１通信ネットワークから接続通知を受信し、前記無線ＩＰモデムが第２通信ネットワークへ接続返信を送信する、ハイブリッド無線ハンドセット。
【請求項３３】
前記無線電話通信モデムがＣＤＭＡモデムであって；さらに、
前記無線ＩＰモデムがＩＥＥＥ８０２．１１に従って動作するモデムである、請求項３２に記載のハンドセット。
【請求項３４】
前記接続通知がテキストメッセージである、請求項３２に記載のハンドセット。
【請求項３５】
前記接続通知が回路スイッチト・ボイスコール要求である、請求項３２に記載のハンドセット。
【発明の詳細な説明】
【技術分野】
【０００１】
本願明細書は、２００３年４月１６日付けで提出された米国仮出願第６０/４６３、２９８号の恩典を請求するものであり、その開示は、本願明細書中で参照により援用されている。
【背景技術】
【０００２】
無線受信機は、ＣＤＭＡ  ＰＣＳ電話およびＧＳＭ  ＰＣＳ電話のようなセルラー電話ハンドセットを含む。別タイプの無線受信機には、例えばＩＥＥＥ８０２．１１（つまりＩＥＥＥ発行の８０２．１１基準；“Ｗｉ−Ｆｉ”としても知られる）に従って動作する無線ネットワークモデムのような、無線ローカルエリアネットワーク（ＷＬＡＮ）受信機または無線ＩＰ受信機がある。
【発明の開示】
【発明が解決しようとする課題】
【０００３】
無線および携帯式ハンドセットでは、電池の寿命が設計上の重要な要素となる。より大型で高価な電池ほど電池寿命が長くなる。あるいは、電力消費を低減することによっても電池の寿命を改善できる。スタンバイモード状態（例えば、ハンドセットの電源が入っており、通話の発信および受信待ちの最中状態において、ネットワークからの信号が監視され、情報をネットワークに供給している状態）において電力消費に影響を与えることは、電池寿命を制御する１つの方法である。場合によっては、ＷＬＡＮモデムを使用したスタンバイモードにおける電力消費は、無線電話通信モデム（例えばＣＤＭＡモデム）を使用したスタンバイモードにおける電力消費よりも高くなる。
【課題を解決するための手段】
【０００４】
本発明は、ハイブリッド受信機との接続を確立する方法および装置を提供する。一つの実施形態において、ハイブリッド無線ハンドセットは、アンテナを備えた無線インターフェースと；無線インターフェースを接続した無線電話通信モデムと；無線電話通信モデム、無線インターフェースに接続した無線ＩＰモデムと；無線電話通信モデムおよび無線ＩＰモデムに接続したオーディオインターフェースと；さらに、無線電話通信モデムおよび無線ＩＰモデムに接続したユーザインターフェースとを備えており；無線電話通信モデムが、第１通信ネットワークから接続通知を受信し、無線ＩＰモデムが第２通信ネットワークへ接続返信を送信する。
【０００５】
一つの実施形態において、ハイブリッド受信機との接続を確立する方法は；第１通信プロトコルに従って第１通信ネットワークへ接続要求を送信し、上記接続要求が、第２通信プロトコルを使用して接続を確立するための送信側アドレス情報を含んでおり；さらに、第２通信プロトコルと送信側アドレス情報とに従って、第２通信ネットワークから接続返信を受信する。
【０００６】
別の実施形態において、ハイブリッド受信機との接続を確立する方法は；第１通信プロトコルに従って第１通信ネットワークから接続通知を受信し、上記接続通知が、第２通信プロトコルを使用して接続を確立するために送信側アドレス情報を含んでおり；さらに、第２通信プロトコルと送信側アドレス情報に従って、接続返信を第２通信ネットワークへ送信する。
【発明を実施するための最良の形態】
【０００７】
本発明は、ハイブリッド受信機への接続を確立するための方法および装置を提供する。一つの実施形態において、ハイブリッド受信機は、２つの無線システムおよびプロトコルを使用して無線通信をサポートするハイブリッド無線受信機である。受信機は、第１無線システムを介して発信側から通知を受信し、第２無線システムを使用して発信側との接続を確立する。その結果、第１無線システムを使用してハイブリッド受信機をスタンバイモードにし、その後、第２無線システムにおいて接続を確立することができる。この構成は、第１無線システムをサポートするスタンバイモードでの電力消費が第２無線システムをサポートするスタンバイモードでの電力消費よりも低い環境において望ましい。
【０００８】
１つの実施形態では、ＩＰネットワークに接続したコンピュータシステムのユーザがハイブリッド無線ハンドセットにボイスオーバＩＰ（“ＶｏＩＰ”）電話をかける。ハイブリッド無線ハンドセットは、ＣＤＭＡ  ＰＣＳとＩＥＥＥ８０２．１１（“Ｗｉ−Ｆｉ”；例えば８０２．１１ａ、ｂ、またはｇのような８０２．１１インターフェースを参照）の両方をサポートする。この例では、このコンピュータシステムにおけるユーザはハイブリッド無線ハンドセットのＩＰアドレスを知らないが、同ハイブリッド無線ハンドセットの電話番号は知っている。ユーザは、ＶｏＩＰ要求に応じて、コンピュータシステムに電話番号を提供する。コンピュータシステムが、このＶｏＩＰ要求をＩＰネットワーク上でサーバへ転送する。サーバは、ハイブリッド無線ハンドセットへの通知または警告メッセージを構成する。この通知はテキストメッセージである（例えば、ＳＭＳまたは他の何らかのテキストメッセージング・プロトコルを使用する）。このテキストメッセージは：ＶｏＩＰ通話を確立する情報がメッセージ内に含まれている旨をハイブリッド無線ハンドセットに知らせるための特別なキーワードまたはシーケンスと；サーバにアクセスするべくハイブリッド無線ハンドセットを使用可能にするための、ＶｏＩＰコールバックのアドレス指定と；これ以外の、コンピュータシステムとハイブリッド無線ハンドセットの間のＶｏＩＰセッションの確立に必要または有用な任意の情報（例えば、特別なルーティング情報、トラフィックチャネル（ペイロード）コーデック・オプション、その他）とを含む。サーバが、ユーザが提供した電話番号を用いて、電話ネットワーク上でハイブリッド無線ハンドセットに通知を送信する。或る実施形態では、ユーザがコンピュータシステムに電話番号ではなくハイブリッド無線ハンドセットのＩＰアドレスを提供した場合には、サーバが、通知を送信するために、電話ネットワークからハイブリッド無線ハンドセットの電話番号を要求する。
【０００９】
電話ネットワークが、無線ＣＤＭＡ  ＰＣＳ接続を介して、ハイブリッド無線ハンドセットにこの通知を送信する。ハイブリッド無線ハンドセットは、特別な警告鍵についてこのメッセージをチェックし、このテキストメッセージが通知であることを認識する。ハイブリッド無線ハンドセットは、このテキストメッセージからアドレス情報を抽出する。さらに、ＩＰネットワークとの無線Ｗｉ−Ｆｉ接続を介して、サーバに返信を送信する。この返信には、ハイブリッド無線ハンドセットのＩＰアドレスが含まれている。サーバは、コンピュータシステムとハイブリッド無線ハンドセット間の接続の確立を促進し、コンピュータシステムがＶｏＩＰセッションを開く。
【００１０】
図１は、ネットワーク環境１００の実施形態を示す図である。ＩＰネットワーク１０５は電話ネットワーク１１０と接続している。ＩＰネットワーク１０５は、インターネットプロトコル（“ＩＰ”）に従って動作するネットワークであり、１つまたはそれ以上のネットワークデバイス（例えば、図示にはないコンピュータシステム）が接続したインターネットおよび１つまたはそれ以上の無線ＩＰネットワークを含んでいる。別の実施形態において、ＩＰネットワーク１０５は、インターネットに加え、またはその代わりに、１つまたはそれ以上のローカルまたはワイドエリアネットワークを含んでいる。図１に示すように、サーバ１１５、２つの無線ＩＰ基地局１２０、１２５がＩＰネットワーク１０５と接続している。ＩＰイネーブルド・コンピュータシステムのようなＩＰシステム１３０がサーバ１１５と接続している。ＩＰ基地局１２０、１２５は、Ｗｉ−ＦｉネットワークのようなＩＰネットワーク１０５上で無線ネットワークをサポートしている。別の実施形態では、ＩＰ基地局１２０、１２５は異なる無線ネットワークの一部分である。無線ハンドセット１３５は、ＩＰ基地局１２０との無線接続を確立することができる。無線ハンドセット１３５は、接続したＩＰ基地局１２０に関連する無線ネットワークプロトコルに従ってＩＰ通信をサポートする。さらに、無線ハンドセットとＩＰ基地局１２５が同一のプロトコルをサポートしている場合には、無線ハンドセット１３５はＩＰ基地局１２５と接続できる。
【００１１】
電話ネットワーク１１０は、電話通信ベースのネットワークであり、１つまたはそれ以上の電話（図示せず）に接続した、公衆交換電話網（ＰＳＴＮ）および１つまたはそれ以上の無線電話ネットワーク（例えば、ＣＤＭＡをサポートしているセルラー電話ネットワーク）を含んでいる。電話基地局１４０は電話ネットワーク１１０に接続している。電話基地局１４０は、ＣＤＭＡネットワークのような電話ネットワーク１１０内で無線電話ネットワークをサポートする。
【００１２】
ハイブリッド無線ハンドセットは、無線電話接続または無線ＩＰ接続を使用した２タイプの無線通信をサポートする。ハイブリッド無線ハンドセット１４５は、電話基地局１４０との無線電話接続を確立することができる。ハイブリッド無線ハンドセット１４５はさらに、ＩＰ基地局１２５との無線ＩＰ接続を確立することができる。また無線ハンドセット１４５は、接続しているＩＰ基地局１２５に関連した無線ネットワークプロトコルに従ってＩＰ通信をサポートする。無線ハンドセット１４５はさらに、無線ハンドセットおよびＩＰ基地局１２０が同一のプロトコルをサポートしている場合に、ＩＰ基地局１２０と接続することができる。
【００１３】
図２は、図１のハイブリッド無線ハンドセット１４５のような、ハイブリッド無線ハンドセット２００の１つの実施形態を示す。このハイブリッド無線ハンドセット２００は、モバイル局モデム（“ＭＳＭ”）２０５とＩＰモデム２１０を含んでいる。ＭＳＭ２０５は無線電話通信モデムであり、とりわけＣＤＭＡ、ＴＤＭＡ、ＧＳＭのような無線電話接続、プロトコル、エアインターフェースをサポートする。さらにＭＳＭ２０５は、ハイブリッド無線ハンドセット２００の汎用オペレーションおよびユーザインターフェースを制御する。ＩＰモデム２１０は、Ｗｉ−Ｆｉまたはその他のＷＬＡＮインターフェースのような、無線ＩＰまたはネットワーク接続およびプロトコルまたはインターフェースをサポートする。ＩＰモデム２１０はメモリ２１５を実装している。
【００１４】
ハイブリッド無線ハンドセット２００は、いくつかのコンポーネントを装備した無線インターフェース２１７を含んでいる。ＭＳＳＭ２０５はＩＰモデム２１０は、同一の無線インターフェース２１７を共用している。ＭＳＭ２０５は、無線接続を提供するべくＭＳＭ２０５またはＩＰモデム２１０のいずれかを使用してサポートを行うために、ハイブリッド無線ハンドセット２００のコンポーネントの動作を制御する。一つの実施形態では、無線インターフェース２１７は一般的な無線インターフェースであり、無線周波数（“ＲＦ”）ブロック２２０、デュプレクサ２２５、アンテナ２３０、低ノイズ増幅器（“ＬＮＡ”）２３５、帯域フィルタ（“ＢＰＦ”）２４０、断路器（“ＩＳＯ”）２４５、電力増幅器（“ＰＷＲ ＡＭＰ”）２５０を備えている。無線インターフェース２１７は、無線ハンドセットにおける一般的な無線インターフェースと同様に動作する。信号を送信する場合、ＲＦブロック２２０がＭＳＭ２０５およびＩＰモデムと接続し、変調された信号をＭＳＭ２０５またはＩＰモデム２１０から電力増幅器２５０へ供給する。電力増幅器２５０が、増幅された信号を断路器２４５に供給し、その後、断路器２４５がこの信号をデュプレクサ２２５に供給し、さらにこれがアンテナ２３０に供給される。信号を受信する場合には、アンテナ２３０が、受信した信号をデュプレクサ２２５に供給すると、デュプレクサ２２５がこの信号をＬＮＡ２３５に供給する。ＬＮＡ２３５が増幅された信号をＢＰＦ２４０に供給し、次にＢＰＦ２４０がフィルタリングされた信号をＲＦブロック２２０に供給する。ＲＦブロック２２０が、ＭＳＭ２０５から受信した制御信号に従い、ハイブリッド無線ハンドセット２００の動作モードに基づいて、この信号をＭＳＭ２０５またはＩＰモデム２１０に供給する。別の実施形態では、ＲＦブロック２２０は、信号内に含まれている情報を用いて、どの宛先モデムに信号を送信するかを決定する。
【００１５】
ハイブリッド無線ハンドセット２００はさらに、ハンドセットの動作をサポートする上で無線ハンドセットに一般的に含まれている追加のコンポーネント、つまり電源２５５（例えば電池）；位相ロックループ（“ＰＬＬ”）２６０；マイクロホンとスピーカを装備したオーディオブロック２６５；外部接続インターフェースまたはコネクタ２７０（例えば、周辺機器または外部電源用のもの）：メモリ２７５；キーパッド、リンガ、ディスプレイを装備したユーザインターフェース・ブロック２８０を備えている。ＭＳＭ２０５、ＩＰモデム２１０、電源２５５、オーディオブロック２６５は相互接続している。さらに、ＭＳＭ２０５、ＩＰモデム２１０、ＲＦブロック２２０、電源２６、コネクタ２７０、メモリ２７５、ユーザインターフェース・ブロック２８０は相互接続している。ＰＬＬ２６０はＭＳＭ２０５と接続している。
【００１６】
ハイブリッド無線ハンドセット２００は、シングルインターフェース・スタンバイモードをサポートする。スタンバイモードでは、ＭＳＭ２０５は無心インターフェース２１７が受信した信号を監視し、ＭＳＭ２０５のエアインターフェースに従って、無線インターフェース上で状態情報を無線ネットワークに送信する。スタンバイモード中に、ハイブリッド無線ハンドセット２００はＩＰモデム２１０を使用せず、また、ＩＰモデム２１０の無線インターフェースを使用して状態情報を送信しない。以降で説明するように、ＩＰモデム２１０の無線インターフェースを使用して接続を確立するために、発信側はまず最初に、ＭＳＭ２０５のエアインターフェースを使用してハイブリッド無線ハンドセット２００へ通知を送信させる。これにより、ハイブリッド無線ハンドセット２００が２つの無線インターフェース（ＭＳＭ２０５のエアインターフェース、ＩＰモデム２１０の無線インターフェース）をサポートする一方で、ハイブリッド無線ハンドセット２００が１つのスタンバイモードを使用して、着信通話を待つまたは受信するか、通信の要求を行う。別の実施形態では、ハイブリッド無線ハンドセット２００は、ユーザが選択できる、シングルインターフェーススタンバイモードを含んだ複数のスタンバイモードをサポートする。
【００１７】
ＭＳＭ２０５はさらに、ＩＰモデム２１０を使用して接続を確立するために、要求の通知の処理をサポートする。別の実施形態では、ハイブリッド無線ハンドセット２００が異なるタイプの通知を受信する。一つの実施形態では、通知は、ＳＭＳ（ショートメッセージサービス）を使用して送信されたメッセージのようなテキストメッセージである。別の実施形態では、通知は、特別な情報を含んだ回路スイッチト音声通話要求である。また別の実施形態においては、通知はエンド・トゥ・エンド・パケットモードデータ接続を使用して送信される。ＭＳＭ２０５は、通知の受信の有無を判断するために使用している通知のタイプに従って着信信号をチェックする。図４〜図７を参照して以降で説明しているように、ＭＳＭ２０５は、通知が検出されると、ＩＰモデム２１０を使用して通知内で識別された通話システムとの無線接続の確立を促進する処理を実行する。
【００１８】
別の実施形態では、ハイブリッド無線ハンドセットは、スタンバイモードにＩＰモデム２１０を使用する。この場合、ハイブリッド無線ハンドセット２００は、ＩＰモデム２１０を使用して通知を受信し、その後、ＭＳＭ２０５を使用し、ＭＳＭ２０５のエアインターフェースに従って発信側との接続と確立する。
【００１９】
図３は、図１のハイブリッド無線ハンドセット１４５のようなハイブリッド無線ハンドセット３００の別の実施形態を示している。この図３中のハイブリッド無線ハンドセット３００は、図２中のハイブリッド無線ハンドセット２００と類似しており、そのため、類似のコンポーネントには類似の参照符号を付けている（例えば、図２中で参照符号２０５を付けたＭＳＭには、図３中では３０５を付けている）。しかし図３中では、ハイブリッド無線ハンドセット３００は２つの無線インターフェース３１７、３１９を備えている。ＭＳＭ３０５とＩＰモデム３１０は異なる無線インターフェースを使用する。ＭＳＭ３０５が無線電話接続のために一方の無線インターフェース３１７を使用し、ＩＰモデム３１０が無線ＩＰ接続のために他方の無線インターフェース３１９を使用する。あるいは、ＭＳＭ３０５、ＩＰモデム３１０、無線インターフェース３１７、３１９、その他のコンポーネントは、図２を参照して上述したコンポーネントと同様に動作する。
【００２０】
図４は、無線受信機との接続の確立の１つの実施形態を表すフローチャート４００を示している。発信側システム（「発信側」）と受信側システム（「受信側」）は２つのネットワークと接続している。第１、第２ネットワークは、各々対応するネットワークプロトコルを使用し、これら両方のネットワークには、無線接続を介してアクセスすることができる。発信側は、有線または無線接続を介して第１ネットワークと接続している。受信側は、スタンバイモードにある第２ネットワークと無線接続によって接続しているハイブリッド無線ハンドセット（またはその他のハイブリッド無線システム）であり、また、無線接続によって第１ネットワークと接続することができる。図１を参照すると、発信側は、サーバ１１５を介してＩＰネットワーク１０５と接続したＩＰシステム１３０か、またはＩＰ基地局１２０を介してＩＰネットワーク１０５と接続した無線ハンドセット１３５であってよい。受信側は、電話基地局１４０を介して電話ネットワーク１１０と接続し、また、ＩＰ基地局１２５を介したＩＰネットワーク１０５との使用可能な接続を有するハイブリッド無線ハンドセット１４５であってよい。図１に示したシステムを参照する動作の一例について、以降で図５を参照して後述する。
【００２１】
ブロック４０５にて、発信側が第１ネットワークに接続要求を送信する。この接続要求は、第１ネットワークを介して発信側と受信側の間に接続を確立する要求である。接続要求には、電話番号またはＩＰアドレスのような、受信側を識別する情報が含まれている。接続要求にはさらに、ＩＰアドレスのような、発信側を識別する情報が含まれている。
【００２２】
ブロック４１０にて、第１ネットワークが通知を構成する。一つの実施形態では、第１ネットワークは、第１ネットワークと接続したシステムとハイブリッド無線受信側との間の接続を促進する接続サーバを実装している。或る実施形態では、接続サーバは、第１ネットワークと第２ネットワークの間のゲートウェイである。この接続サーバは、発信側から接続要求を受信し、この要求に従って通知を構成する。この通知は、第２ネットワークを介して受信側へ送信されるよう構成され、要求からの識別情報を含んでいる。この通知はさらに、発信側が受信側との接続を要求し、この接続が第１ネットワークを介して確立された旨を受信側に示す警告情報を含んでいる。
【００２３】
ブロック４１５にて、第１ネットワークが通知を第２ネットワークへ送信し、ブロック４２０にて、第２ネットワークがこの通知を受信側へ送信する。この通知は受信側を識別する情報を含んでおり、また、第２ネットワークはこの情報を使用し、第２ネットワークを介して通知を受信側へ送り、受信側との無線接続を確立する。第２ネットワークは、無線接続を介してこの通知を受信側へ送信する。
【００２４】
ブロック４２５にて、受信側はこの通知を処理し、接続返信を第１ネットワークへ送信する。受信側は、第２ネットワークから通知を受信し、この通知が、発信側によって接続要求が第１ネットワークに為された旨を示すものであることを認識する。受信側は、この通知からの識別情報を使用して接続返信を構成し、この接続要求内に、任意の必要な識別情報を供給する。受信側が、第１ネットワークとの無線接続を開き、無線接続を介して第１ネットワークへ接続返信を送信する。
【００２５】
ブロック４３０にて、第１ネットワークが接続返信を送信し、ブロック４３５にて、発信側が、第１ネットワークを介して受信側との接続を開く。第１ネットワーク内の接続サーバが接続返信を受信し、この接続返信を発信側へ提供する。発信側は接続返信を受信し、第１ネットワークを介して受信側との接続を開くために必要な任意の情報を抽出する。
【００２６】
発信側と第１ネットワークの間の接続と、第１ネットワークと第２ネットワークの間の接続が同一タイプの接続である必要はない。例えば、発信側が有線接続を使用し、受信側が無線接続を使用してもよい。
【００２７】
一つの実施形態では、発信側は、返信からの識別情報を使用して、第１ネットワークを介した受信側との新規接続を開くが、別の実施形態では、発信者は受信側が開いた接続を使用して、第１ネットワークに返信を提供する。同様に、或る実施形態では、発信側は、接続サーバを使用して受信側との通信を開くが、別の実施形態では、発信側は接続サーバを使用しない。また別の実施形態では、接続サーバは、両側の準備が完了した旨の確認を受信後に（例えば、受信側から接続返信を受信し、また、接続返信が受信および処理済みである旨の確認を発信側から受信した後に）発信側と受信側の間に接続を開いて、これを維持する。
【００２８】
第１ネットワーク（例えば接続サーバ）が、受信側が通知を受信した、または受信側が第１ネットワークとの接続を確立する旨を示す確認または接続返信を全く受信していない場合には、第１ネットワークが別の接続の確立を試みる。例えば、接続サーバは、第１ネットワークと第２ネットワークを組み合わせにより（例えば、発信側に第１ネットワーク、受信側に第２ネットワーク）発信側と受信側の間の接続を促進する第２ネットワークの通話転送特徴を使用する。
【００２９】
別の実施形態では、通知構成の前に、第１ネットワークが、受信側が第１ネットワークと既に接続しているか、または第１ネットワークを活発に監視しているかをチェックする。この場合は、第１ネットワークは、受信側が既に使用可能であり、上述した記述にあるように第２ネットワークを介して送信された通知を使用することなく、第１ネットワークが発信側と受信側の間に迅速に接続を確立する。
【００３０】
さらに別の実施形態では、発信側が、例えば第２ネットワーク、第３ネットワークを介して、第１ネットワークと間接的に接続している。例えば、ユーザが標準の電話機から、ＰＳＴＮ（第２ネットワーク）を介してハイブリッド無線ハンドセットに電話をかけると、何らかの理由で（例えばルーティング）、この通話が、ＶｏＩＰサーバによってＶｏＩＰ要求として処理されるべくＩＰネットワーク（第１ネットワーク）へルーティングされる。この例では、発信側は、第２ネットワーク（電話ネットワーク）を介して第１ネットワーク（ＩＰネットワーク）と接続している。最終的に、発信側は、第２ネットワークから第１ネットワークを経由して受信側と接続し、その後、第２ネットワークへ戻る。
【００３１】
図５〜図７は、受信側との接続を確立する別の実施形態を示している。
【００３２】
図５は、通知を行うために、ＣＤＭＡネットワークを使用して無線受信側とＷｉ−Ｆｉ接続を確立する一つの実施形態のフローチャート５００を示す。この実施形態の動作は、図４を参照して上述したものと類似する。この実施形態については、以降で図１を参照しながら一例として説明する。
【００３３】
発信側は、サーバ１１５を介してＩＰネットワーク１０５と接続したＩＰシステム１３０である。受信側は、電話基地局１４０を介して電話ネットワーク１１０と接続しており、ＩＰ基地局１２５を介してＩＰネットワーク１０５との使用可能な接続を有するハイブリッド無線ハンドセット１４５である。
【００３４】
ブロック５０５にて、ＩＰシステム１３０は、ハイブリッド無線ハンドセット１４５により、ＶｏＩＰセッションについての接続要求をＩＰネットワーク１０５へ送信する。上述したように、この接続要求には、電話番号のようなハイブリッド無線ハンドセット１４５を識別する情報と、ＩＰアドレスのようなＩＰシステム１３０を識別する情報とが含まれている。別の実施形態、または同実施形態の他の用途において、この要求はＶｏＩＰセッションについてのものではなく、発信側と受信側の間における何らかの別のデータ通信についての要求である。ブロック５１０にて、サーバ１１５が通知を構成する。この通知には、発信側とＶｏＩＰセッションを確立するためのアドレス情報が含まれている（これは例えば、ハイブリッド無線ハンドセット１４５がＩＰシステム１３０と接続できるようにするために行う）。ブロック５１５にて、サーバ１１５が、ＩＰネットワーク１０５を介してこの通知を電話ネットワーク１１０へ送信する。ブロック５２０にて、電話ネットワーク１１０が、ＣＤＭＡ接続を使用し、電話基地局１４０を介して、この通知をハイブリッド無線ハンドセット１４５へ送信する。ハイブリッド無線ハンドセット１４５が、この通知からアドレス情報を抽出し、その後、ＩＰシステム１３０がハイブリッド無線ハンドセット１４５との接続を確立できるようにするべく、アドレス情報を含んだ接続返信を構成する。ブロック５２５にて、ハイブリッド無線ハンドセット１４５がＩＰ基地局１２５とのＷｉ−Ｆｉ接続を開き、ＩＰ基地局１２５を介してＩＰネットワーク１０５へ接続返信を送信する。ブロック５３０にて、ＩＰネットワーク１０５が、この接続返信をＩＰシステム１３０へ送信する。ブロック５３５にて、ＩＰシステム１３０がサーバ１１５から接続返信を受信し、ＩＰネットワーク１０５を介して、ハイブリッド無線ハンドセット１４５との接続を確立する。これで、ＩＰシステム１３０とハイブリッド無線ハンドセット１４５はＩＰネットワーク１０５を介して接続した（ＩＰシステム１３０は、サーバ１１５を介したＩＰネットワーク１０５との有線接続を備え、ハイブリッド無線ハンドセット１４５は、ＩＰ基地局１２５を介したＩＰネットワーク１０５とのＷｉ−Ｆｉ接続を有する）。
【００３５】
図６は、通知を行うために、テキストメッセージを使用して無線受信機と接続を確立する一つの実施形態のフローチャートを示す。この実施形態の動作は、図４を参照して上述したものと類似している。この実施形態については、以降で図１を参照しながら一例として説明する。
【００３６】
発信側は、サーバ１１５を介してＩＰネットワーク１０５と接続したＩＰシステム１３０である。受信側は、電話基地局１４０を介して電話ネットワーク１１０と接続しており、ＩＰ基地局１２５を介したＩＰネットワーク１０５との使用可能な接続を有するハイブリッド無線ハンドセット１４５である。
【００３７】
ブロック６０５にて、ＩＰシステム１３０が、ハイブリッド無線ハンドセット１４５とのＶｏＩＰセッションについての接続要求をＩＰネットワーク１０５へ送信する。上述したように、この接続要求には、電話番号のような、ハイブリッド無線ハンドセット１４５を識別する情報と、ＩＰアドレスのようなＩＰシステム１３０を識別する情報とが含まれている。上述したように、この要求がＶｏＩＰセッションについてのものである必要はない。
【００３８】
ブロック６１０にて、サーバ１１５がテキストメッセージとしての通知を構成する。このテキストメッセージは、無線電話ネットワークおよびハイブリッド無線ハンドセット１４５のエアインターフェースと互換するテキストメッセージである（例えば、テキストショートメッセージまたはＳＭＳメッセージを使用するもの）。この通知にはさらに、警告鍵と、（例えば、ハイブリッド無線ハンドセット１４５がＩＰシステム１３０と接触できるようにするために）発信側との接続を確立するためのアドレス情報とが含まれている。警告鍵は、このテキストメッセージが通常のテキストメッセージではなく、受信側はこれに返信するべく適切な処理を実行しなければならない旨を示す。別の実施形態では、テキストメッセージはさらに、ＩＰシステム１３０とハイブリッド無線ハンドセット１４５の間の接続の確立を補助する追加の情報、例えば特別なルーティング情報を含んでいる。
【００３９】
ブロック６１５にて、サーバ１１５が、ＩＰネットワーク１０５を介して、電話ネットワーク１１０へテキストメッセージ通知を送信する。ブロック６２０にて、電話ネットワーク１１０が、無線電話接続を使用し、電話基地局１４０を介して、テキストメッセージ通知をハイブリッド無線ハンドセット１４５へ送信する。電話ネットワークは、このテキストメッセージ通知を通常のテキストメッセージとして扱う。
【００４０】
ブロック６２５にて、ハイブリッド無線ハンドセット１４５がこのテキストメッセージをチェックする。ブロック６３０にて、ハイブリッド無線ハンドセット１４５は、テキストメッセージ内に警告鍵を発見すると、通知からアドレス情報を抽出する。ハイブリッド無線ハンドセット１４５は、ＩＰシステム１３０がハイブリッド無線ハンドセット１４５との無線ＩＰ接続を確立できるようにするためのアドレス情報を含んだ接続返信を構成する。ブロック６３５にて、ハイブリッド無線ハンドセット１４５が、ＩＰ基地局１２５との無線ＩＰ接続を開き、ＩＰ基地局１２とを介してＩＰネットワーク１０５に接続返信を送信する。ブロック６４０にて、ＩＰネットワーク１０５がこの接続返信をＩＰシステムへ送信する。ブロック６４５にて、ＩＰシステム１３０がサーバ１１５からこの接続返信を受信し、ＩＰネットワーク１０５を介してハイブリッド無線ハンドセット１４５との接続を確立する。これで、ＩＰシステム１３０とハイブリッド無線ハンドセット１４５がＩＰネットワーク１０５を介して接続した（ＩＰシステム１３０は、ＩＰネットワーク１０５との有線接続を有し、ハイブリッド無線ハンドセット１４５は、ＩＰ基地局１２５を介したＩＰネットワーク１０５との無線ＩＰ接続を有する）。
【００４１】
図７は、通知を行うために、回路スイッチト・ボイスコール要求を使用して無線受信機との接続を確立する一つの実施形態のフローチャート７００を示す。この実施形態の動作は、図４を参照して上述したもの類似している。この実施形態については、以降で図１を参照しながら一例として説明する。
【００４２】
発信側は、サーバ１１５を介してＩＰネットワーク１０５と接続したＩＰシステム１３０である。受信側は、電話基地局１４０を介して電話ネットワーク１１０と接続し、ＩＰ基地局１２５を介してＩＰネットワーク１０５との使用可能な接続を有するハイブリッド無線ハンドセット１４５である。
【００４３】
ブロック７０５にて、ＩＰシステム１３０が、ハイブリッド無線ハンドセット１４５とのＶｏＩＰセッションについての接続要求をＩＰネットワーク１０５に送信する。上述したように、この接続要求には、電話番号のような、ハイブリッド無線ハンドセット１４５を識別する情報と、ＩＰアドレスのような、ＩＰシステム１３０を識別する情報とが含まれている。上述したように、この要求はＶｏＩＰセッションについてのものである必要はない。
【００４４】
ブロック７１０にて、サーバ１１５が、回路スイッチト・ボイスコール要求としての通知を構成する。この通知には、警告鍵と、（例えば、ハイブリッド無線ハンドセット１４５がＩＰシステム１３０と接触できるようにするために）発信側との接続を確立するためのアドレス情報とが含まれる。この警告鍵は、ボイスコール要求が通常のボイスコール要求ではなく、受信側はこれに返信するべく適切な処理を実行する必要がある旨を示す。別の実施形態では、ボイスコール要求はさらに、ＩＰシステム１３０とハイブリッド無線ハンドセット１４５の間の接続の確立を補助する追加の情報、例えば特別なルーティング情報を含んでいる。一つの実施形態では、ボイスコール要求は、警告鍵およびアドレス情報として機能する、サーバ１１５を表すコールバック電話番号を含んでいる。別の実施形態では、警告鍵とアドレス情報は、ボイスコール要求の発信側ＩＤ情報に含まれている。
【００４５】
ブロック７１５にて、サーバ１１５が、ＩＰネットワーク１０５を介して、このボイスコール要求通知を電話ネットワーク１１０へ送信する。ブロック７２０にて、電話ネットワーク１１０が、無線電話接続を使用し、電話基地局１４０を介して、このボイスコール要求通知をハイブリッド無線ハンドセット１４５へ送信する。電話ネットワークは、このボイスコール要求通知を、受信側への通常の回路スイッチト・ボイスコール要求として扱う。
【００４６】
ブロック７２５にて、ハイブリッド無線ハンドセット１４５が、警告鍵についてこのボイスコール要求をチェックする。ハイブリッド無線ハンドセット１４５は、テキストメッセージ内に警告鍵を見つけると、ブロック７３０にて、この通知からアドレス情報を抽出する。ボイスコール要求が、要求の発信側ＩＤ情報内にサーバ１１５についてのコールバック番号を含んでいる一つの実施形態では、ハイブリッド無線ハンドセット１４５がこの電話番号を警告として認識し、この電話番号またはボイスコール要求内の別の電話番号を使用して、サーバ１１５と接続するためのＩＰアドレスを構成する。あるいは、ハイブリッド無線ハンドセット１４５が、コールバック電話番号を使用し、電話ネットワーク１１０を介してサーバ１１４との接続を行い、また、ＩＰネットワーク１０５を介して接続を行うべく、ＩＰアドレス情報の取り出しまたは提供を行う。
【００４７】
ハイブリッド無線ハンドセット１４５は、ＩＰシステム１３０がハイブリッド無線ハンドセット１４５との無線ＩＰ接続を確立できるようにするために、アドレス情報を含んだ接続返信を構成する。ブロック７３５にて、ハイブリッド無線ハンドセット１４５が、ＩＰ基地局１２５への無線ＩＰ接続を開き、ＩＰ基地局１２５を介して、接続返信をＩＰネットワーク１０５へ送信する。ブロック７４０にて、ＩＰネットワーク１０５が、ＩＰシステム１３０へ接続返信を送信する。ブロック７４５にて、ＩＰシステム１３０が、サーバ１１５から接続返信を受信し、ＩＰネットワーク１０５を介してハイブリッド無線ハンドセット１４５との接続を確立する。これで、ＩＰシステム１３０とハイブリッド無線ハンドセット１４５がＩＰネットワーク１０５を介して接続した（ＩＰシステム１３０が、サーバ１１５を介した有線ＩＰ接続を有し、ハイブリッド無線ハンドセット１４５が、ＩＰ基地局１２５を介したＩＰネットワーク１０５との無線ＩＰ接続を有する）。
【００４８】
ハイブリッド無線ハンドセット１４５がボイスコール要求通知を通知として識別しない場合、または接続返信を構成するための情報を適切に抽出しない場合には、ハイブリッド無線ハンドセット１４５が、このボイスコール要求が通常のボイスコール要求であるものとしてこれに返信する。或る実施形態では、無線ハンドセット１４５が、このボイスコール要求通知を通常のボイスコール要求として返信する場合には、サーバ１１５が、ＩＰシステム１３０とハイブリッド無線ハンドセット１４５の間の通話転送接続の確立を試みる（例えば、ＩＰネットワーク１０５と電話ネットワーク１１２０の両方を介して、ＩＰシステム１３０とハイブリッド無線ハンドセット１４５を接続する）。
【００４９】
図８は、発信側によって通知が構成する場合に、無線受信機との接続を確立する一つの実施形態のフローチャート示す。通知が、図４の場合のように第１ネットワークではなく発信側によって構成されるため、この実施形態は図４を参照して上述したものとは異なる。それ以外の点では、この実施形態の動作は、図４を参照して上述したものと類似している。この実施形態については、以降で図１を参照しながら一例として説明する。
【００５０】
発信側は、サーバ１１５を介してＩＰネットワーク１０５と接続したＩＰシステム１３０である。受信側は、電話基地局１４０を介して電話ネットワーク１１０と接続し、ＩＰ基地局１２５を介してＩＰネットワーク１０５との使用可能である接続を有するハイブリッド無線ハンドセット１４５である。
【００５１】
ブロック８０５にて、ＩＰシステム１３０が通知を構成する。この通知には、（例えば、ハイブリッド無線ハンドセット１４５がＩＰシステム１３０と接触できるようにするために）発信側とＶｏＩＰセッションを確立するためのアドレス情報が含まれている。この通知には、電話番号のような、ハイブリッド無線ハンドセット１４５を識別する情報と、ＩＰアドレスのような、ＩＰシステム１３０を識別する情報とが含まれている。上述したように、この通知がＶｏＩＰセッションを確立するためのものである必要はない。
【００５２】
ブロック８１０にて、ＩＰシステム１３０が、ＩＰネットワーク１０５を介して、この通知を電話ネットワーク１１０へ送信する。ブロック８１５にて、電話ネットワーク１１０が、無線電話接続を使用し、電話基地局１４０を介して、この通知をハイブリッド無線ハンドセット１４５へ送信する。ハイブリッド無線ハンドセット１４５が、この通知からアドレス情報を抽出し、ＩＰシステム１３０がハイブリッド無線ハンドセット１４５との接続を確立できるようにするアドレス情報を含んだ接続返信を構成する。ブロック８２０にて、ハイブリッド無線ハンドセット１４５が、ＩＰ基地局１２５との無線ＩＰ接続を開き、ＩＰ基地局１２５を介してＩＰネットワーク１０５へ接続返信を送信する。ブロック８２５にて、ネットワーク１０５が接続返信をＩＰシステム１３０へ送信する。ブロック８３０にて、ＩＰシステム１３０が、サーバ１１５からこの接続返信を受信し、ＩＰネットワーク１０５を介してハイブリッド無線ハンドセット１４５との接続を確立する。これでＩＰシステム１３０とハイブリッド無線１４５がＩＰネットワーク１０５を介して接続した（ＩＰシステム１３０は、サーバ１１５を介したＩＰネットワーク１０５との有線接続を有し、ハイブリッド無線ハンドセット１４５は、ＩＰ基地局１２５を介したＩＰネットワーク１０５とのＷｉ−Ｆｉ接続を有する）。
【００５３】
本発明の様々な実施形態は電子ハードウェア、コンピュータソフトウェア、またはこれらの技術の組み合わせにおいて実現される。いくつかの実施形態は、プログラム可能なプロセッサまたはコンピュータによって実行される１つまたはそれ以上のコンピュータプログラムを実装している。例えば、図２を参照すると、一つの実施形態において、ＭＳＭ２０５とＩＰモデム２１０は１つまたはそれ以上のプログラム可能なプロセッサを装備している。図１に示した通信ネットワーク１０５、１１０は、ネットワークをサポートするための１つまたはそれ以上のコンピュータを備えている。一般に、各コンピュータは１つまたはそれ以上のプロセッサ、１つまたはそれ以上のデータ記憶コンポーネント（例えば、揮発性または非揮発性メモリモジュール、および、ハード・フロッピーディスクドライブ、ＣＤ−ＲＯＭドライブ、磁気テープドライブのような不変光学および磁気記憶装置）、さらに、１つまたはそれ以上の出力装置（例えば、ディスプレイコンソールおよびプリンタ）を装備している。
【００５４】
コンピュータプログラムは、通常は永続格納媒体に記憶され、次に実行時間においてメモリ内にコピーされる実行可能なコードを含んでいる。プロセッサは、メモリから指定の順序でプログラム命令を取り出すことで、コードを実行する。このプログラムコードを実行する場合、コンピュータは入力部分および/または記憶装置からデータを受信し、データ上で動作を実行し、その後、得られたデータを出力部および/または格納装置へ伝送する。
【００５５】
本発明の様々な例証的な実施形態について説明してきた。しかし、当業者は、本発明の範囲内での追加構成が可能であることを理解されよう。例えば、上述の説明は、Ｗｉ−Ｆｉを使用した構成に注目しているが、これ以外の無線ＩＰまたはＷＬＡＮインターフェースを、他の、例えば任意タイプの８０２．１１インターフェースのような実現に使用することが可能である。同様に、ＣＤＭＡ以外の様々な電話エアインターフェースを、他の、ＴＤＭＡまたはＧＳＭのような実現に使用することも可能である。
【００５６】
これ以外の別の実施形態では、ハイブリッド無線ハンドセットを使用するのではなく、別形式のハイブリッド無線システム、例えばＰＤＡ、ラップトップ、デスクトップコンピュータシステム用のハイブリッド無線モデムカードまたは周辺装置を使用している。
【００５７】
従って、本発明は上述の実施形態のみに限定されるものではない。
【図面の簡単な説明】
【００５８】
【図１】ネットワーク環境の一つの実施形態の図を示す。
【図２】ハイブリッド無線ハンドセットの一つの実施形態の図である。
【図３】ハイブリッド無線ハンドセットの別の実施形態の図である。
【図４】無線受信機との接続を確立する一つの実施形態のフローチャートを示す。
【図５】通知を行うために、ＣＤＭＡネットワークを使用して無線受信機とのＷｉ−Ｆｉ接続を確立する一つの実施形態のフローチャートを示す。
【図６】通知を行うために、テキストメッセージを使用して無線受信機との接続を確立する一つの実施形態のフローチャートを示す。
【図７】通知を行うために、回路スイッチト・ボイスコール要求を使用して無線受信機との接続を確立する一つの実施形態のフローチャートを示す。
【図８】通知が発信側によって構成される場合に、無線受信機との接続を確立する一つの実施形態のフローチャートを示す。
【符号の説明】
【００５９】
１００  ネットワーク環境
１０５  ＩＰネットワーク
１１０  電話ネットワーク
１１５  サーバ
１２０、１２５  無線ＩＰ基地局
１３０  ＩＰシステム
１３５  無線ハンドセット
１４０  電話基地局
１４５  無線ハンドセット
２００  ハイブリッド無線ハンドセット
２０５  モバイル局モデム
２１０  ＩＰモデム
２１５  メモリ
２１７  無線インターフェース
２２０  無線周波数ブロック
２２５  デュプレクサ
２３０  アンテナ
２３５  低ノイズ増幅器
２４０  帯域フィルタ
２４５  断路器
２５０  電力増幅器
２５５  電源
２６０  位相ロックループ
２６５  オーディオブロック
２７０  外部接続インターフェースまたはコネクタ
２７５  メモリ
２８０  ユーザインターフェース・ブロック
３００  ハイブリッド無線ハンドセット
３０５  モバイル局モデム
３１０  ＩＰモデム
３１７、３１９  無線インターフェース
４０５、４１０、４１５、４２０、４２５、４３０、４３５、５０５、５１０、５１５、５２０、５２５、５３０、５３５、６０５、６１０、６１５、６２０、６２５、６３０、６３５、６４０、７０５、７１０、７１５、７２０、７２５、７３０、７３５、７４０、７４５、８０５、８１０、８１５、８２０、８２５、８３０  ブロック
５００、６００、７００、８００  フローチャート
【図１】
2006523967.tif 000003
【図２】
2006523967.tif 000004
【図３】
2006523967.tif 000005
【図４】
2006523967.tif 000006
【図５】
2006523967.tif 000007
【図６】
2006523967.tif 000008
【図７】
2006523967.tif 000009
【図８】
2006523967.tif 000010
【国際調査報告】
2006523967.tif 000011
2006523967.tif 000012
2006523967.tif 000013
2006523967.tif 000014
2006523967.tif 000015